(57)【要約】      （修正有）【課題】店舗内においてリアルタイムに表示内容を変更することのできる案内表示機を提供すること。【解決手段】データ送信装置３と表示装置２とを備え、データ送信装置３は表示装置２に表示指示データを無線送信し、表示装置２は表示指示データに基づく画像を表示することを特徴とする案内表示機を提供する。データ送信装置３を建物内に設置し、表示装置２を建物外に設置することで、建物外の表示装置２の表示内容を建物内においてリアルタイムに変更することができる。【選択図】図１
0003205136.tif 000002
【実用新案登録請求の範囲】
【請求項１】
データ送信装置と、
表示装置とを備え、
前記データ送信装置は、前記表示装置に表示指示データを無線送信し、
前記表示装置は、前記表示指示データに基づく画像を表示することを特徴とする、案内表示機。
【請求項２】
前記データ送信装置が建物内に設置され、
前記表示装置が建物外に設置されることを特徴とする、請求項１に記載の案内表示機。
【請求項３】
前記表示装置は、筐体内に受信機を備え、前記筐体は前記受信機に向けて電波を通信する孔部を有することを特徴とする、請求項１又は２に記載の案内表示機。
【請求項４】
前記データ送信装置は、操作部を有し、
前記操作部が操作されることによって、前記表示指示データを生成して無線送信することを特徴とする、請求項１〜３のいずれか1項に記載の案内表示機。
【考案の詳細な説明】
【技術分野】
【０００１】
本考案は、ディスプレイ画面に案内画像を表示する案内表示機に関する。
【背景技術】
【０００２】
飲食店、調剤薬局、その他の店舗を構えて営業活動を行う場において、店舗の前に表示板を設置して顧客に情報を伝達することが行われている。表示板に印刷物を貼付することによる場合が多いが（特許文献１参照）、印刷物の汚れや表示内容を変更する際の手間、そもそも表示板という手法が汎用化しているため訴求力に欠けること、リアルタイムでの表示変更ができないことなどが問題となる。
【０００３】
そこで、画像データをディスプレイ画面に表示する表示板（案内表示機）が用いられる。これにより、印刷物の汚れの問題はなくなり、視認性も高まり、画像データを入れ替えることで表示内容を変更することができる。一方、画像データの入れ替えは以下に示すように煩雑であり、頻繁に行うことは容易でなかった。このため、店内の状況に合わせてリアルタイムに広告内容を切り替える、その他の広告効果に優れる運用は困難であった。
【０００４】
従来の、画像データを入れ替えて表示内容を変更する案内表示機は、それ自身がコンピュータであり、プログラムによって自動的に画像データを選択するもの（２以上の画像データを保持し、表示される画像データをプログラムが例えば時間に基づいて定めるもの）であった。
【０００５】
このため、店舗の運営者がプログラムの動作とは異なる表示を行いたい時には、案内表示機のところへ行ってプログラム又はデータを入れ替える必要があった。飲食店において空席数を表示する、調剤薬局において待ち人数を表示する、その他のリアルタイムに表示内容を変更する運用が困難であった。具体的には、変更の都度案内表示器のところへ行って操作をしなければならなかった。また、その操作も、外部からデータ等を書きこむことが多く煩雑であった。
【先行技術文献】
【特許文献】
【０００６】
【特許文献１】特開２０１１−００２５９３号公報
【考案の概要】
【考案が解決しようとする課題】
【０００７】
本考案は、店舗内においてリアルタイムに表示内容を変更することのできる案内表示機を提供することを課題とする。
【課題を解決するための手段】
【０００８】
本考案の案内表示機は、
データ送信装置と、
表示装置とを備え、
前記データ送信装置は、前記表示装置に表示指示データを無線送信し、
前記表示装置は、前記表示指示データに基づく画像を表示することを特徴とする。
【０００９】
この特徴によれば、データ送信装置から離れた箇所にある表示装置の表示内容を、データ送信装置から変更することができる。データ送信装置をリアルタイム性に対応した設計とすることにより、リアルタイムの変更が可能となる。
【００１０】
本考案の案内表示機は、
前記データ送信装置が建物内に設置され、
前記表示装置が建物外に設置されることを特徴とする。
【００１１】
この特徴によれば、建物外の表示装置の表示内容を建物内のデータ送信装置において変更することができる。
【００１２】
本考案の案内表示機は、
前記表示装置は、筐体内に受信機を備え、前記筐体は前記受信機に向けて電波を通信する孔部を有することを特徴とする。
【００１３】
この特徴によれば、表示装置の電波受信具（アンテナ等）が露呈しない。表示装置が自然な外観を備えることができる。
【００１４】
本考案の案内表示機は、
前記データ送信装置は、操作部を有し、
前記操作部が操作されることによって、前記表示指示データを生成して無線送信することを特徴とする。
【００１５】
この特徴によれば、操作部の設計によって、容易な操作によって表示内容を変更することが可能となる。
【考案の効果】
【００１６】
本考案の案内表示機によれば、店舗内においてリアルタイムに表示内容を変更することが可能となる。
【図面の簡単な説明】
【００１７】
【図１】図１は、店舗及び案内表示器の配置を示す図である。
【図２】図２は、表示装置の外観構造を示す図である。
【図３】図３は、表示装置の内部構成を示す図である。
【図４】図４は、データ送信装置の構成を示す図である。
【図５】図５は、案内表示機の使用方法及び構成のバリエーションを示す図である。
【考案を実施するための形態】
【００１８】
以下、本考案の実施例について説明する。
【００１９】
図１は、店舗及び案内表示機の配置を示す図である。建物４の中に店舗４１があり、データ送信装置３が店舗４１の中に、表示装置２が建物４の外（すなわち店舗４１の外である）に配置されている。データ送信装置３と表示装置２とを繋ぐケーブルはなく、ケーブルを通過させるために建物４に貫通孔等を設ける必要はない。
【００２０】
表示装置２は、ディスプレイ２１を備えており、ディスプレイに表示される画像が案内表示となる。
【００２１】
図２は、表示装置の外観構造を示す図である。表示装置２は、筐体２２の中にディスプレイ２１、受信機２３及び表示処理部２４を備えている。表示処理部４２は、ディスプレイに画像データを表示する機器であり、コンピュータ、マイクロチップ等により構成され得る。
【００２２】
筐体２２の一面（図２（Ａ）参照）にディスプレイ２１が設けられ、他面（図２（Ｂ）参照）に孔部２２１が設けられている。
【００２３】
表示装置２の内部を、図２（Ｃ）に示す。筐体２２の内部に受信機２３及び表示処理部２４が設けられている。表示処理部２４は、画像をディスプレイ２１に表示する。
【００２４】
受信機２３は孔部２２１を通過した電波を受信できる箇所（孔部２２１の近傍）に設けられている。受信機２３によって受信された電波（信号）は、表示処理部２４に送られる。
【００２５】
図３は、表示装置の内部構成を示す図である。表示処理部２４は、画像データ２４１及び表示プログラム２４２を備えている。表示プログラム２４２が、画像データ２４１をディスプレイ２１に表示する。
【００２６】
受信機２３によって受信された信号は、画像データであり、画像データ２４１として保存される。ただし、２以上の画像データ２４１を保存し、信号を表示プログラム２４２に与えて表示される画像データを選択するものであってもよい。この場合、信号は画像番号となる。
【００２７】
図４は、データ送信装置の構成を示す図である。データ送信装置３は、操作部３１及び送信機３２を備えている。データ送信装置３は、操作部３１操作によるユーザの入力に基づき、表示指示データを生成して、送信機３２から無線送信する。送信された表示指示データ（信号）は、表示装置２の受信機２３によって受信される。
【００２８】
表示指示データが画像データである場合には、データ送信装置３はコンピュータであり、操作部３１はキーボード（マウスを含む）である。ユーザは、操作部３１によってコンピュータを操作して画像データ（例えばプレゼンテーション用のスライドのデータ）を作成し、それを表示指示データとして送信する。
【００２９】
表示指示データが画像データでない場合には、データ送信装置３はコンピュータでなくともよい。画像データを作成しないからである。この場合、画像データは、表示装置２に画像データ２４１として２以上のものが保存され、表示指示データは例えば画像データの番号である（いずれの画像データを表示するかが分かるものであれば番号でなくともよい）。データ送信装置３がマイクロチップであり、操作部がテンキーや上下矢印キーであってもデータ送信装置３が構成される。
【００３０】
また、画像データを表示装置２の表示処理部２４において作成することもできる。例えば表示指示データがテキストデータであり、画像データ２４１の所定の部分にそのテキストを埋め込んでもよい。例えば調剤薬局において待ち人数を表示する場合には、かかる構成も可能である。
【００３１】
以上により、店舗内４１においてリアルタイムに表示内容を変更することのできる案内表示機１が提供される。案内表示機１（特にデータ送信装置３）は、いかなる表示内容であるかに依存して、種々のバリエーションが考えられる。
【００３２】
図５は、案内表示機の使用方法及び構成のバリエーションを示す図である。１行目に示すように、データ送信装置３がコンピュータであり、表示されるべき画像データを表示指示データとして送信することが考えられる。この場合、表示装置２は単純に画像データ２４１をディスプレイに表示する。ユーザが画像を作成する操作を行い得る場合には、多様な画像の表示が可能となる。
【００３３】
データ送信装置３がコンピュータである場合にも、２行目に示すように、いくつかの画像のうちの１つを選択することも考えられる。画像データをデータ送信装置に保持し、表示すべきものを表示指示データとして送信してもよいが、表示され得る画像データの全てを表示装置の画像データ２４１として保持し、表示指示データを画像番号とすることで、無線通信の量が減少し、早期の表示が可能となる。この場合、表示装置２の表示プログラム２４２は、指示された番号の画像データ２４１をディスプレイに表示する。番号の指定のみである、多くのユーザが利用できるものとなる。
【００３４】
データ送信装置３を、小規模のマイクロチップとすることもできる。３行目に示すように、待ち人数を表示するのであれば、「１人増えた」又は「１人減った」との情報だけで処理することもできる。操作部３１を上下矢印キーとし、ユーザは上矢印キーで「１人増えた」ことを、下矢印キーで「１人減った」ことを示すことができる。データ送信装置３は、増減の結果の人数に対応する画像番号を、表示指示データとして送信する。ここで、「画像番号でなく、増減の結果の人数をテキストデータとし、表示処理部２４において作成することもできる。画像データ２４１の所定の部分にそのテキストを埋め込んでもよい。
【００３５】
表示する数字の１単位の増減でない場合には、結果の数字をテキストデータとして表示指示データとして送信することもできる。例えば４行目の示すように飲食店の待ち時間を表示する場合である。
【００３６】
以上詳細に説明したように、本考案の案内表示器は、店舗内４１においてリアルタイムに表示内容を変更することのできるものであり、いかなる表示内容であるかに依存して、種々のバリエーションによる実装が可能なものである。
【産業上の利用可能性】
【００３７】
店舗内においてリアルタイムに表示内容を変更することのできる案内表示機である。多くの店舗における利用が考えられる。
【符号の説明】
【００３８】
１      案内表示機
２      表示装置
２１    ディスプレイ
２２    筐体
２２１  孔部
２３    受信機
２４    表示処理部
２４１  画像データ
２４２  表示プログラム
３      データ送信装置
３１    操作部
３２    送信機
４      建物
４１    店舗
【図１】
0003205136.tif 000003
【図２】
0003205136.tif 000004
【図３】
0003205136.tif 000005
【図４】
0003205136.tif 000006
【図５】
0003205136.tif 000007